(57)【特許請求の範囲】
【請求項１】
電線端末の雌端子が収容されフード部を有したメスコネクタと、電線端末の雄端子が収容され前記メスコネクタのフード部内に嵌合して前記雌端子と雄端子とが接続されるオスコネクタとからなるコネクタであって、
前記メスコネクタのフード部は、メスコネクタとオスコネクタの嵌合方向の奥方にオスコネクタの外周が面接触により当接してフード部を拡開方向に弾性変形させる前記オスコネクタの外周面に対して所定傾斜角度を有したガイド斜面が形成されていることを特徴とするコネクタ。
【請求項２】
請求項１に記載のコネクタであって、
前記メスコネクタはメスコネクタハウジングと、端子収容室が設けられるコネクタ本体と、このコネクタ本体を覆う外套フード部とで形成され、前記外套フード部の内壁に前記ガイド斜面が形成されていることを特徴とするコネクタ。
【請求項３】
請求項２に記載のコネクタであって、
前記オスコネクタはオスコネクタハウジングと、前記メスコネクタとの嵌合時に前記コネクタ本体と外套フード部との間に挿入される嵌合フード部とで形成され、該嵌合フード部の開口縁部の外周に前記ガイド斜面と面接触する面接触部が形成されていることを特徴とするコネクタ。
【発明の詳細な説明】
【技術分野】
【０００１】
本発明は、電線端末の端子同士を接続するコネクタに関する。
【背景技術】
【０００２】
従来から、電線端末の雌端子と雄端子を電気的に接続するコネクタとして、例えば、特開２００２−１９８１２７号公報（特許文献１）に記載されたコネクタが提案されている。
【０００３】
このようなコネクタは、雌コネクタを収容したコネクタハウジングと、雄コネクタを収容したコネクタハウジングとを嵌合することにより、雌端子と雄端子とを接続することを可能にしたものである。
【０００４】
図５（ａ）から図５（ｃ）は、特許文献１に記載されたコネクタの構成を示す図である。図５（ａ）から図５（ｃ）に示すように、コネクタ１００は、雌端子が収容されるメスコネクタ１０２と、雄端子が収容されるオスコネクタ１０４とから略構成されている。
【０００５】
図５（ａ）及び図５（ｂ）に示すように、メスコネクタ１０２は、筒状に形成されたメスコネクタハウジング１２１と、雌端子が収容される端子収容室１２２が設けられたコネクタ本体１２３と、後述するガイドリブ１４４が進入可能なガイド溝１２４と、コネクタ本体１２３内部に設けられた規制突部１２５とを備えている。
【０００６】
図５（ａ）及び図５（ｃ）に示すように、オスコネクタ１０４は、筒状に形成されたオスコネクタハウジング１４１と、雄端子を収容する雄端子収容室１４２と、メスコネクタ１０２の内部に挿入される嵌合フード部１４３と、嵌合フード部１４３の全長にわたって前後に延出してガイド溝１２４に進入可能なガイドリブ１４４とを備えている。
【０００７】
そして、ガイド溝１２４にガイドリブ１４４を進入することによりメスコネクタ１０２とオスコネクタ１０４とを嵌合する。このとき、コネクタ本体１２３内部に対角位置に設けられた規制突部１２５が嵌合フード部１４３に当接することにより、メスコネクタ１０２とオスコネクタ１０４との嵌合状態を保持する。
【先行技術文献】
【特許文献】
【０００８】
【特許文献１】特開２００２−１９８１２７号公報
【発明の概要】
【発明が解決しようとする課題】
【０００９】
しかしながら、上述した従来のコネクタ１００では、コネクタ本体１２３が弾性的に拡開されて規制突部１２５が拡開方向に点接触で嵌合フード部１４３に当接し、メスコネクタ１０２とオスコネクタ１０４との回動を規制している。
【００１０】
このため、メスコネクタ１０２とオスコネクタ１０４との間に生じた隙間により、車両等の振動時にメスコネクタ１０２とオスコネクタ１０４との回動の規制力が低下し、コネクタ１００間の耐震性が低くなるという問題が発生する。
【００１１】
そこで、本発明はこのような従来の課題を解決するためになされたものであり、その目的とするところは、振動によるコネクタ間の耐震性を向上するコネクタを提供することにある。
【課題を解決するための手段】
【００１２】
上記目的を達成するため、本願請求項１に記載した本発明のコネクタは、電線端末の雌端子が収容されフード部を有したメスコネクタと、電線端末の雄端子が収容され前記メスコネクタのフード部内に嵌合して前記雌端子と雄端子とが接続されるオスコネクタとからなるコネクタであって、前記メスコネクタのフード部は、メスコネクタとオスコネクタの嵌合方向の奥方にオスコネクタの外周が面接触により当接してフード部を拡開方向に弾性変形させる前記オスコネクタの外周面に対して所定傾斜角度を有したガイド斜面が形成されていることを特徴とする。
【００１３】
請求項２に記載した本発明のコネクタは、請求項１に記載のコネクタであって、前記メスコネクタはメスコネクタハウジングと、端子収容室が設けられるコネクタ本体と、このコネクタ本体を覆う外套フード部とで形成され、前記外套フード部の内壁に前記ガイド斜面が形成されていることを特徴とする。
【００１４】
請求項３に記載した本発明のコネクタは、請求項２に記載のコネクタであって、前記オスコネクタはオスコネクタハウジングと、前記メスコネクタとの嵌合時に前記コネクタ本体と外套フード部との間に挿入される嵌合フード部とで形成され、該嵌合フード部の開口縁部の外周に前記ガイド斜面と面接触する面接触部が形成されていることを特徴とする。
【発明の効果】
【００１５】
請求項１に記載した本発明のコネクタによれば、メスコネクタのフード部は、メスコネクタとオスコネクタの嵌合方向の奥方にオスコネクタの外周が面接触により当接してフード部を拡開方向に弾性変形させるオスコネクタの外周面に対して所定傾斜角度を有したガイド斜面が形成されているため、コネクタ間の隙間を少なくすることにより振動によるコネクタ間の規制力を向上させることができる。
【００１６】
また、メスコネクタのフード部は、面接触によりオスコネクタの外周と当接するため、点接触によりオスコネクタの外周と当接する場合と比較して、コネクタ間の隙間を少なくすることにより、振動時のコネクタ間の動きをより抑制することができる。
【００１７】
従って、振動によるコネクタ間の耐震性を向上するコネクタを提供することができる。
【００１８】
請求項２に記載した本発明のコネクタによれば、外套フード部の内壁にガイド斜面が形成されているため、メスコネクタとオスコネクタとを嵌合した際、メスコネクタとオスコネクタとの回動を抑制する。
【００１９】
請求項３に記載した本発明のコネクタによれば、嵌合フード部の開口縁部の外周にガイド斜面と面接触する面接触部を形成することにより、コネクタ間の隙間を少なくすることで振動によるコネクタ間の規制力を向上することができる。
【００２０】
また、メスコネクタの外套フード部のガイド斜面と面接触部は面接触により当接するため、点接触により当接する場合と比較して、コネクタ間の隙間を少なくすることができる。従って、振動時のコネクタ間の動きをより抑制することができる。
【図面の簡単な説明】
【００２１】
【図１】本発明の実施形態に係るメスコネクタとオスコネクタを示す斜視図である。
【図２】本発明の実施形態に係るコネクタを示す斜視図である。
【図３】本発明の実施形態に係るメスコネクタの断面図を示す図である。
【図４】本発明の実施形態に係るコネクタの断面図を示す図である。
【図５】従来におけるコネクタを示す図である。
【発明を実施するための形態】
【００２２】
以下、本発明の実施形態に係るコネクタについて図面を参照して説明する。はじめに、図１及び図２を参照して、本発明の実施形態に係るコネクタについて説明する。図１は、本発明の実施形態に係るメスコネクタとオスコネクタを示す斜視図である。図２は、本発明の実施形態に係るコネクタを示す斜視図である。
【００２３】
本発明の実施形態に係るコネクタは、電線端末（車両や車両に搭載される電気機器等の配線に用いられる端末）の雌端子と雄端子とを電気的に接続するためのコネクタである。
【００２４】
図１及び図２に示すように、コネクタ１は、雌端子１１が収容されるメスコネクタ１２と、メスコネクタ１２と嵌合して雄端子（図示省略）と雌端子１１とを接続するオスコネクタ１４とから略構成されている。
【００２５】
メスコネクタ１２は、合成樹脂等の材料で筒状に形成されたメスコネクタハウジング２１と、雌端子１１を収容するコネクタ本体２２と、コネクタ本体２２を覆う外套フード部２３とを備えている。
【００２６】
コネクタ本体２２は、筒状の内部に雌端子１１が収容される端子収容室２４と、オスコネクタ１４がメスコネクタ１２に嵌合する際、コネクタ本体２２内側に撓み変形する防水栓２５（パッキン、図２参照）が収容される防水栓収容室２６とを備えている。
【００２７】
この防水栓２５は、略中央が貫通したリング状に形成されており、防水栓２５が防水栓収容室２６に収容された状態でオスコネクタ１４とメスコネクタ１２に嵌合すると、オスコネクタ１４及びメスコネクタ１２の内壁に弾性的に拡張して密着する。このため、オスコネクタ１４側からコネクタ１内部に水が浸入することを防止することができる。
【００２８】
外套フード部２３は、内壁に設けられたガイド溝２７と、メスコネクタとオスコネクタの嵌合方向の奥方に設けられたガイド斜面２８とを備えている。
【００２９】
ガイド溝２７は、外套フード部２３の内壁の対向位置に一対で設けられている（一側省略）。このガイド溝２７は、後述するオスコネクタ１４のガイドリブ４３が挿入されることにより、メスコネクタ１２とオスコネクタ１４とを正規の嵌合位置に保持し、メスコネクタ１２とオスコネクタ１４との間の回動を規制する。
【００３０】
後で図３及び図４を参照して説明するように、ガイド斜面２８は、オスコネクタ１４の外周面に対して所定角度傾斜しており、オスコネクタ１４の外周が面接触により当接して外套フード部２３を拡開方向に弾性変形させる（以下、拡開方向の弾性変形を単に「拡開」という）。
【００３１】
このように、メスコネクタ１２の外套フード部２３は、オスコネクタ１４の外周が面接触するガイド斜面２８が形成されているため、コネクタ１間の隙間を少なくすることにより振動によるコネクタ１間の規制力を向上することができる。
【００３２】
また、ガイド斜面２８により外套フード部２３を拡開させるため、メスコネクタ１２とオスコネクタ１４との間の回動を規制すると共に、オスコネクタ１４を嵌合する際の挿入力を低減させることができる。
【００３３】
また、メスコネクタ１２は、防水栓２５の内壁（リング内）と接触して後述するオスコネクタ１４のオスタブ４４と嵌合するフロントホルダ３０を備えている。
【００３４】
オスコネクタ１４は、合成樹脂等の材料で筒状に形成されたオスコネクタハウジング４１と、メスコネクタ１２との嵌合時にコネクタ本体２２と外套フード部２３との間に挿入される嵌合フード部４２とを備えている。
【００３５】
嵌合フード部４２は、両側壁面の横方向（メスコネクタ１２への嵌合方向）に一対に形成されているガイドリブ４３を備えている。また、オスコネクタ１４は、メスコネクタ１２のフロントホルダ３０と嵌合するオスタブ４４（図２参照）とを備えている。
【００３６】
嵌合フード部４２の両側壁に一体に形成されたガイドリブ４３は、メスコネクタ１２とオスコネクタ１４が嵌合した際、メスコネクタ１２に設けられたガイド溝２７に収容される。
【００３７】
また、ガイドリブ４３は、嵌合フード部４２の縦方向長さと横方向長さのうち長い方（本発明の実施形態では、横方向）の両側壁に形成されている。
【００３８】
このように、嵌合フード部４２の両側壁に一対にガイドリブ４３を形成することにより、メスコネクタ１２とオスコネクタ１４を正規の嵌合位置に保持することができる。また、ガイドリブ４３がガイド溝２７に挿入されることにより、保持力を向上することができる。
【００３９】
また、ガイドリブ４３を嵌合フード部４２の縦方向長さと横方向長さのうち長い方（本発明の実施形態では、横方向）の両側壁に形成することにより、メスコネクタ１２とオスコネクタ１４との回動を抑制することができる。
【００４０】
後で図３及び図４を参照して説明するように、嵌合フード部４２の開口縁部４５の外周にメスコネクタ１２のガイド斜面２８と面接触する面接触部４６が形成されている。
【００４１】
雌端子１１は、図２に示すように、雄端子の端末（図示省略）と接続する接続部７１と、メスコネクタ１２の端子収容室２４に密着する端子防水栓（パッキン）７２と、車両や車両に搭載される電気機器等に接続された電線７３とを備えている。
【００４２】
端子防水栓７２は、メスコネクタ１２の端子収容室２４の内壁に弾性的に拡張して密着するため、端子収容室２４側からコネクタ１内部に水が浸入することを防止することができる。
【００４３】
次に、図３及び図４を参照して、メスコネクタ１２に設けられたガイド斜面２８とオスコネクタ１４に設けられた面接触部４６について詳細に説明する。
【００４４】
図３（ａ）は、本発明の実施形態に係るメスコネクタの断面図である。図３（ｂ）は、本発明の実施形態に係るメスコネクタのガイド斜面の拡大図である。図４（ａ）は、本発明の実施形態に係るコネクタの断面図である。図４（ｂ）は、本発明の実施形態に係るオスコネクタの面接触部の拡大図である。
【００４５】
図３（ａ）及び図３（ｂ）に示すように、メスコネクタ１２の外套フード部２３には、メスコネクタ１２とオスコネクタ１４の外周が面接触するガイド斜面２８が外套フード部２３の内壁に形成されている。
【００４６】
ガイド斜面２８は、メスコネクタ１２とオスコネクタ１４（図２参照）とが嵌合した際、オスコネクタ１４の開口縁部４５（図４（ａ）及び図４（ｂ）参照）に面接触するように、端子収容室２４の近傍に設けられている。
【００４７】
また、外套フード部２３の内壁には、オスコネクタ１４と接触するフード接触部２９が形成されており、このフード接触部２９から外套フード部２３の開口部側に向かって外套フード部２３が拡開する。
【００４８】
つまり、メスコネクタ１２とオスコネクタ１４（図２参照）とが嵌合した際、ガイド斜面２８はオスコネクタ１４の外周面に対して所定角度傾斜しているため、オスコネクタ１４の外周の面接触部４６と面接触により当接し、外套フード部２３はフード接触部２９から開口部側に向かって拡開する。
【００４９】
このように、メスコネクタ１２の外套フード部２３は、オスコネクタ１４の外周が面接触して外套フード部２３を拡開させるガイド斜面２８が形成されているため、コネクタ１間の隙間を少なくすることにより振動によるコネクタ１間の規制力を向上することができる。
【００５０】
また、メスコネクタ１２の外套フード部２３は、面接触によりオスコネクタ１４の外周と当接するため、点接触によりオスコネクタ１４の外周と当接する場合と比較して、コネクタ１間の隙間を少なくすることにより、振動時のコネクタ１間の動きをより抑制することができる。
【００５１】
さらに、外套フード部２３の内壁にガイド斜面２８が形成されていることにより、メスコネクタ１２とオスコネクタ１４とを嵌合した際、メスコネクタ１２とオスコネクタ１４との回動を抑制することができる。
【００５２】
図４（ａ）及び図４（ｂ）に示すように、嵌合フード部４２の開口縁部４５の外周にガイド斜面２８と面接触する面接触部４６が形成されている。
【００５３】
このため、図３及び図４に示すように、メスコネクタ１２とオスコネクタ１４（図２参照）とが正規の嵌合位置（図４（ａ）及び図４（ｂ）に示す位置）で嵌合した際、面接触部４６がガイド斜面２８と面接触することにより、外套フード部２３はフード接触部２９から開口部側に向かって拡開する。
【００５４】
このように、嵌合フード部４２の開口縁部４５の外周にガイド斜面２８と面接触する面接触部４６を形成することにより、コネクタ１間の隙間を少なくすることで振動によるコネクタ１間の規制力を向上することができる。
【００５５】
また、メスコネクタ１２の外套フード部２３のガイド斜面２８と面接触部４６は面接触により当接するため、点接触により当接する場合と比較して、コネクタ１間の隙間を少なくすることができる。このため、振動時のコネクタ１間の動きをより抑制することができる。
【００５６】
次に、図１から図４を参照して、メスコネクタ１２とオスコネクタ１４とを嵌合する場合について説明する。
【００５７】
図１から図４に示すように、メスコネクタハウジング２１とオスコネクタハウジング４１とを嵌合させると、嵌合フード部４２がコネクタ本体２２と外套フード部２３との間に挿入される。
【００５８】
メスコネクタハウジング２１とオスコネクタハウジング４１とを嵌合する際、ガイドリブ４３がガイド溝２７でスライドすることにより、メスコネクタ１２とオスコネクタ１４が正規の嵌合位置に案内される。
【００５９】
このとき、コネクタ本体２２の端子収容室２４には、雌端子１１が収容され、メスコネクタハウジング２１とオスコネクタハウジング４１とを嵌合させると、雌端子１１の接続部７１が雄端子の接続部（図示省略）と接続する。
【００６０】
また、コネクタ本体２２の防水栓収容室２６には、防水栓２５が収容される（図２参照）。この防水栓２５の内壁（リング内）にはフロントホルダ３０が接触することにより、フロントホルダ３０の一側が防水栓２５により保持される。
【００６１】
また、オスコネクタハウジング４１の内部に設けられたオスタブ４４は、メスコネクタ１２とオスコネクタ１４との嵌合方向の略中心でフロントホルダ３０の他側（防水栓２５に対向する側）と嵌合する（図２参照）。
【００６２】
そして、メスコネクタハウジング２１に設けられたロックアーム３１のオスコネクタ１４側の端部がオスコネクタハウジング４１に設けられたロック突部４７の上部に乗り上げると共に、ロックアーム３１が上方向に撓み変形する。
【００６３】
そして、メスコネクタ１２とオスコネクタ１４とが正規の嵌合位置まで嵌合されると、ロック孔（図示省略）内にロック突部４７が挿入され、ロックアーム３１の撓み変形が復帰する。
【００６４】
このとき、ロック突部４７のオスコネクタ１４側の端部がロックアーム３１の雌端子１１側に当接することにより係止するため、メスコネクタ１２とオスコネクタ１４とが嵌合状態から離脱不可能に保持される。
【００６５】
また、嵌合フード部４２に形成された面接触部４６が外套フード部２３に形成されたガイド斜面２８と面接触することにより、外套フード部２３はフード接触部２９から開口部側に向かって拡開する。
【００６６】
このように、メスコネクタ１２の外套フード部２３は、オスコネクタ１４の外周が面接触して外套フード部２３を拡開させるガイド斜面２８が形成されているため、コネクタ１間の隙間を少なくすることにより振動によるコネクタ１間の規制力を向上することができる。
【００６７】
従って、振動によるコネクタ１間の耐震性を向上するコネクタ１を提供することができる。
【００６８】
このようにして、本発明の実施形態に係るコネクタ１は、電線端末の雌端子１１が収容されフード部２３を有したメスコネクタ１２と、電線端末の雄端子が収容され前記メスコネクタ１２のフード部（外套フード部）２３内に嵌合して雌端子１１と雄端子とが接続されるオスコネクタ１４とからなるコネクタ１であって、メスコネクタ１２のフード部２３は、メスコネクタ１２とオスコネクタ１４の嵌合方向の奥方にオスコネクタ１４の外周が面接触してフード部２３を拡開させるガイド斜面２８が形成されている。
【００６９】
また、本発明の実施形態に係るコネクタ１は、メスコネクタ１２はメスコネクタハウジング２１と、端子収容室２４が設けられるコネクタ本体２２と、このコネクタ本体２２を覆う外套フード部２３とで形成され、外套フード部２３の内壁にガイド斜面２８が形成されている。
【００７０】
さらに、本発明の実施形態に係るコネクタ１は、オスコネクタ１４はオスコネクタハウジング４１と、メスコネクタ１２との嵌合時にコネクタ本体２２と外套フード部２３との間に挿入される嵌合フード部４２とで形成され、嵌合フード部４２の開口縁部４５の外周にガイド斜面２８と面接触する面接触部４６が形成されている。
【００７１】
そして、本発明の実施形態に係るコネクタ１によれば、メスコネクタ１２の外套フード部２３は、オスコネクタ１４の外周が面接触して外套フード部２３を拡開させるガイド斜面２８が形成されているため、コネクタ１間の隙間を少なくすることにより振動によるコネクタ１間の規制力を向上することができる。
【００７２】
また、メスコネクタ１２の外套フード部２３は、面接触によりオスコネクタ１４の外周と当接するため、点接触によりオスコネクタ１４の外周と当接する場合と比較して、コネクタ１間の隙間を少なくすることにより、振動時のコネクタ１間の動きをより抑制することができる。
【００７３】
従って、振動によるコネクタ１間の耐震性を向上するコネクタ１を提供することができる。
【００７４】
また、本発明の実施形態に係るコネクタ１によれば、外套フード部２３の内壁にガイド斜面２８が形成されていることにより、メスコネクタ１２とオスコネクタ１４とを嵌合した際、メスコネクタ１２とオスコネクタ１４との回動を抑制することができる。
【００７５】
さらに、本発明の実施形態に係るコネクタ１によれば、嵌合フード部４２の開口縁部４５の外周にガイド斜面２８と面接触する面接触部４６を形成することにより、コネクタ１間の隙間を少なくすることで振動によるコネクタ１間の規制力を向上することができる。
【００７６】
また、メスコネクタ１２の外套フード部２３のガイド斜面２８と面接触部４６は面接触により当接するため、点接触により当接する場合と比較して、コネクタ１間の隙間を少なくすることができる。このため、振動時のコネクタ１間の動きをより抑制することができる。
【００７７】
以上、本発明のコネクタを図示の実施形態に基づいて説明したが、本発明はこれに限定されるものではなく、各部の構成は、同様の機能を有する任意の構成のものに置き換えることができる。
【００７８】
例えば、上述した本発明の実施形態では、ガイドリブ４３は、嵌合フード部４２の横方向に形成されている場合について説明したが、嵌合フード部４２の縦方向長さと横方向長さのうち縦方向長さの方が長い場合には、縦方向に形成してもよい。
【産業上の利用可能性】
【００７９】
本発明は、振動によるコネクタ間の耐震性を向上するコネクタを提供する上で極めて有用である。
【符号の説明】
【００８０】
１      コネクタ
１１    雌端子
１２    メスコネクタ
１４    オスコネクタ
２１    メスコネクタハウジング
２２    コネクタ本体
２３    外套フード部
２４    端子収容室
２５    防水栓
２６    防水栓収容室
２７    ガイド溝
２８    ガイド斜面
２９    フード接触部
３０    フロントホルダ
３１    ロックアーム
４１    オスコネクタハウジング
４２    嵌合フード
４３    ガイドリブ
４４    オスタブ
４５    開口縁部
４６    面接触部
４７    ロック突部
７１    接続部
７２    端子防水栓
７３    電線
【図１】
0005681478.tif 000002
【図２】
0005681478.tif 000003
【図３】
0005681478.tif 000004
【図４】
0005681478.tif 000005
【図５】
0005681478.tif 000006